(57)【要約】【課題】より容易に毛髪の状態を確認することのできるヘアドライヤを得る。【解決手段】ヘアドライヤ１０は、吸入口２２ａおよび吐出口２２ｂを有する送風流路２２が形成されたドライヤ本体２０と、送風流路２２に配置される送風部２３と、送風流路２２内の送風部２３よりも吐出口２２ｂ側に配置される加熱部２４と、を備えている。また、ヘアドライヤ１０は、毛髪Ｈの温度を測定する毛髪温度測定部５２と、毛髪Ｈの状態を報知する報知部５１と、を備えている。そして、報知部５１が吐出口２２ｂの周囲に設けられた発光体を有している。【選択図】図１
2017196395.tif 000002
【特許請求の範囲】
【請求項１】
吸入口および吐出口を有する送風流路が形成されたドライヤ本体と、
前記送風流路に配置される送風部と、
前記送風流路内の前記送風部よりも吐出口側に配置される加熱部と、
毛髪の温度を測定する毛髪温度測定部と、
毛髪の状態を報知する報知部と、
を備え、
前記報知部が前記吐出口の周囲に設けられた発光体を有していることを特徴とするヘアドライヤ。
【請求項２】
前記発光体の発光領域と前記毛髪温度測定部の測定領域とが略一致していることを特徴とする請求項１に記載のヘアドライヤ。
【請求項３】
吸入口および吐出口を有する送風流路が形成されたドライヤ本体と、
前記送風流路に配置される送風部と、
前記送風流路内の前記送風部よりも吐出口側に配置される加熱部と、
毛髪の温度を測定する毛髪温度測定部と、
毛髪の状態を報知する報知部と、
を備え、
前記報知部が前記吸入口の周囲に設けられた発光体を有していることを特徴とするヘアドライヤ。
【請求項４】
吸入口および吐出口を有する送風流路が形成されたドライヤ本体と、
前記ドライヤ本体に連設された把持部と、
前記送風流路に配置される送風部と、
前記送風流路内の前記送風部よりも吐出口側に配置される加熱部と、
毛髪の温度を測定する毛髪温度測定部と、
毛髪の状態を報知する報知部と、
を備え、
前記報知部が前記把持部の先端に設けられた発光体を有していることを特徴とするヘアドライヤ。
【請求項５】
前記報知部は、３色以上の発光体を有することを特徴とする請求項１〜４のうちいずれか１項に記載のヘアドライヤ。
【請求項６】
吸入口および吐出口を有する送風流路が形成されたドライヤ本体と、
前記送風流路に配置される送風部と、
前記送風流路内の前記送風部よりも吐出口側に配置される加熱部と、
毛髪の温度を測定する毛髪温度測定部と、
毛髪の状態を報知する報知部と、
を備え、
前記報知部が前記ドライヤ本体とは別体に設けられていることを特徴とするヘアドライヤ。
【請求項７】
前記報知部が情報処理端末に設けられていることを特徴とする請求項６に記載のヘアドライヤ。
【請求項８】
使用環境の温度を測定する使用環境温度測定部をさらに備え、
前記報知部は、毛髪の温度が目標温度に達したか否かを報知しており、
前記目標温度が、前記使用環境温度測定部により測定された使用環境の温度に基づいて制御されていることを特徴とする請求項１〜７のうちいずれか１項に記載のヘアドライヤ。
【請求項９】
前記使用環境温度測定部により測定された使用環境の温度よりも高い温度となるように第１の温度を設定し、
前記毛髪温度測定部により測定された毛髪の温度が前記第１の温度よりも低い場合には、前記報知部による報知を停止することを特徴とする請求項８に記載のヘアドライヤ。
【請求項１０】
前記毛髪温度測定部により測定された毛髪の温度が第２の温度よりも高い場合には、前記報知部による報知を停止することを特徴とする請求項１〜９のうちいずれか１項に記載のヘアドライヤ。
【発明の詳細な説明】
【技術分野】
【０００１】
本発明は、ヘアドライヤに関する。
【背景技術】
【０００２】
従来、ヘアドライヤとして、吸入口および吐出口を有する送風流路が形成されたドライヤ本体を備え、吐出口から吐出させた温風を使用者の毛髪にあてて乾燥させるようにしたものが知られている（例えば、特許文献１参照）。
【０００３】
この特許文献１では、送風流路の吸入口側に送風部を配置するとともに、送風流路内の送風部よりも吐出口側に加熱部を配置し、送風部および加熱部を作動させて吸入口から空気を導入して加熱部で加熱することで、吐出口から温風を吐出するようにしている。
【０００４】
さらに、この特許文献１では、毛髪の温度を測定する毛髪温度検出手段が設けられるとともに、毛髪温度検出手段により測定された毛髪の温度に基づき、毛髪の状態（毛髪温度の高低）を報知する毛髪温度認識手段が設けられている。
【０００５】
そして、赤色ＬＥＤと緑色ＬＥＤとで毛髪温度認識手段を構成し、毛髪温度検出手段により検出された毛髪温度が所定の加熱温度に達しないときは、緑色ＬＥＤを点灯させ、所定の加熱温度に達した際に、赤色ＬＥＤを点灯させるようにしている。
【０００６】
こうすることで、使用者が、温風を当てている毛髪が所定の加熱温度に達したことを認識できるようにしている。
【０００７】
この特許文献１では、毛髪温度認識手段をドライヤ本体の中央に設け、ヘアドライヤの使用時に、毛髪温度認識手段が鏡に写るようにすることで、使用者が、温風を当てている毛髪が所定の加熱温度に達したことを認識できるようにしている。
【先行技術文献】
【特許文献】
【０００８】
【特許文献１】特開平０５−０９５８１３号公報
【発明の概要】
【発明が解決しようとする課題】
【０００９】
ところで、ヘアドライヤを用いて毛髪を乾燥させる際には、使用者は、一般的に、毛髪の加熱部位を見ながら仕上がりを意識して乾燥させている。
【００１０】
そのため、上記従来技術のように、毛髪温度認識手段をドライヤ本体の中央に設けていると、毛髪の状態を認識するためには毛髪の加熱部位とドライヤ本体の中央に設けられた報知部の両方を見る必要があり、毛髪の状態を容易に認識することができなかった。
【００１１】
そこで、本発明は、より容易に毛髪の状態を確認することのできるヘアドライヤを得ることを目的とする。
【課題を解決するための手段】
【００１２】
上記従来の課題を解決するために、本発明のヘアドライヤは、吸入口および吐出口を有する送風流路が形成されたドライヤ本体と、前記送風流路に配置される送風部と、前記送風流路内の前記送風部よりも吐出口側に配置される加熱部と、を備えている。
【００１３】
また、ヘアドライヤは、毛髪の温度を測定する毛髪温度測定部と、毛髪の状態を報知する報知部と、を備えている。
【００１４】
そして、前記報知部が前記吐出口の周囲に設けられた発光体を有している。
【００１５】
また、前記報知部が前記吸入口の周囲に設けられた発光体を有するようにしてもよい。
【００１６】
また、前記報知部が前記把持部の先端に設けられた発光体を有するようにしてもよい。
【００１７】
また、前記報知部が前記ドライヤ本体とは別体に設けられていてもよい。
【発明の効果】
【００１８】
本発明によれば、より容易に毛髪の状態を確認することのできるヘアドライヤを得ることができる。
【図面の簡単な説明】
【００１９】
【図１】本発明の実施の形態１にかかるヘアドライヤを模式的に示す側面図である。
【図２】本発明の実施の形態１にかかるヘアドライヤの電気系統の一部を示すブロック図である。
【図３】比較例にかかるヘアドライヤを用いた場合における温風の到達範囲、毛髪温度測定部の検知可能範囲および毛髪の位置を説明する図である。
【図４】本発明の実施の形態１にかかるヘアドライヤを用いた場合における温風の到達範囲、毛髪温度測定部の検知可能範囲および毛髪の位置を説明する図である。
【図５】毛髪を整髪に適した状態とするための条件の一例を説明する図である。
【図６】比較例にかかる制御方法を用いて毛髪を乾燥させた場合における所定の部位での毛髪の乾燥過程を説明する図である。
【図７】本発明の実施の形態１にかかる制御方法を用いて毛髪を乾燥させた場合における所定の部位での毛髪の乾燥過程を説明する図である。
【図８】本発明の実施の形態１にかかるヘアドライヤの動作の一例を示すフローチャートである。
【図９】本発明の実施の形態１の変形例にかかる目標温度の演算方法を示す図である。
【図１０】本発明の実施の形態１の変形例にかかる報知部の制御方法を示す図である。
【図１１】本発明の実施の形態２にかかるヘアドライヤを模式的に示す図であって、（ａ）は側面図、（ｂ）は平面図である。
【図１２】本発明の実施の形態３にかかるヘアドライヤを模式的に示す側面図である。
【図１３】本発明の実施の形態３にかかるヘアドライヤを用いて後頭部を乾燥させている状態を模式的に示す図である。
【図１４】本発明の実施の形態４にかかるヘアドライヤを模式的に示す側面図である。
【図１５】本発明の実施の形態４にかかるヘアドライヤを用いて後頭部を乾燥させている状態を模式的に示す図である。
【図１６】本発明の実施の形態５にかかるヘアドライヤを模式的に示す側面図である。
【図１７】本発明の実施の形態６にかかるヘアドライヤを模式的に示す側面図である。
【図１８】本発明の実施の形態６にかかるヘアドライヤの電気系統の一部を示すブロック図である。
【図１９】室温と目標温度との関係を示すグラフである。
【図２０】第１の温度と報知部の動作との関係を示すグラフである。
【図２１】第２の温度と報知部の動作との関係を示すグラフである。
【発明を実施するための形態】
【００２０】
本発明の実施の形態にかかるヘアドライヤは、吸入口および吐出口を有する送風流路が形成されたドライヤ本体と、前記送風流路に配置される送風部と、前記送風流路内の前記送風部よりも吐出口側に配置される加熱部と、を備えている。
【００２１】
また、ヘアドライヤは、毛髪の温度を測定する毛髪温度測定部と、毛髪の状態を報知する報知部と、を備えている。
【００２２】
そして、前記報知部が前記吐出口の周囲に設けられた発光体を有している。
【００２３】
こうすることで、毛髪の加熱部位を見ている使用者の視野の範囲に報知部が入るようにすることができるため、使用者は、視線を移動させることなく毛髪の状態を確認することができるようになる。その結果、より容易に毛髪の状態を確認することができるようになる。
【００２４】
このとき、前記発光体の発光領域と前記毛髪温度測定部の測定領域とを略一致させるようにしてもよい。
【００２５】
こうすることで、使用者が、どの部分の毛髪温度を測定しているのかを、より正しく認識することができるため、ヘアドライヤをより直感的に使用することができるようになる。その結果、ヘアドライヤの使い勝手をより向上させることができるようになる。
【００２６】
また、ヘアドライヤは、吸入口および吐出口を有する送風流路が形成されたドライヤ本体と、前記送風流路に配置される送風部と、前記送風流路内の前記送風部よりも吐出口側に配置される加熱部と、を備えている。さらに、毛髪の温度を測定する毛髪温度測定部と、毛髪の状態を報知する報知部と、を備えている。
【００２７】
そして、前記報知部が前記吸入口の周囲に設けられた発光体を有している。
【００２８】
こうすることで、後頭部を乾燥させているときに、報知部を鏡に写すことができるため、より容易に毛髪の状態を確認することができるようになる。
【００２９】
また、ヘアドライヤは、吸入口および吐出口を有する送風流路が形成されたドライヤ本体と、前記ドライヤ本体に連設された把持部と、前記送風流路に配置される送風部と、前記送風流路内の前記送風部よりも吐出口側に配置される加熱部と、を備えている。
【００３０】
さらに、ヘアドライヤは、毛髪の温度を測定する毛髪温度測定部と、毛髪の状態を報知する報知部と、を備えている。
【００３１】
そして、前記報知部が前記把持部の先端に設けられた発光体を有している。
【００３２】
こうすることで、後頭部を乾燥させているときに、報知部を鏡に写すことができるため、より容易に毛髪の状態を確認することができるようになる。
【００３３】
また、前記報知部が３色以上の発光体を有するようにすることが可能である。
【００３４】
こうすれば、乾燥時に、毛髪の状態の途中経過を認識することが可能となるため、ヘアドライヤの使い勝手をより向上させることができる。
【００３５】
また、ヘアドライヤは、吸入口および吐出口を有する送風流路が形成されたドライヤ本体と、前記送風流路に配置される送風部と、前記送風流路内の前記送風部よりも吐出口側に配置される加熱部と、を備えている。さらに、毛髪の温度を測定する毛髪温度測定部と、毛髪の状態を報知する報知部と、を備えている。
【００３６】
そして、前記報知部が前記ドライヤ本体とは別体に設けられている。
【００３７】
こうすれば、使用者自身が見やすい場所に報知部を設置することができるため、ヘアドライヤの使い勝手をより向上させることができるようになる。
【００３８】
また、前記報知部が情報処理端末に設けられている。
【００３９】
こうすれば、毛髪の状態が変化する様子を画面で表示することが可能となって、ヘアドライヤの使い勝手をより向上させることができるようになる。
【００４０】
また、ヘアドライヤは、使用環境の温度を測定する使用環境温度測定部をさらに備えており、前記報知部が、毛髪の温度が目標温度に達したか否かを報知するようにしている。
【００４１】
そして、前記目標温度が、前記使用環境温度測定部により測定された使用環境の温度に基づいて制御されている。
【００４２】
こうすれば、使用するヘアドライヤの周囲環境の温度に基づいて、より適切な目標温度を演算部によって演算することができるようになるため、毛髪の状態をより適切に使用者に報知することができる。その結果、整髪効果をより向上させることができるようになる。
【００４３】
また、前記使用環境温度測定部により測定された使用環境の温度よりも高い温度となるように第１の温度を設定し、前記毛髪温度測定部により測定された毛髪の温度が前記第１の温度よりも低い場合には、前記報知部による報知を停止するようにしている。
【００４４】
こうすれば、使用環境の温度を毛髪の温度と認識してしまうことを抑制することができ、ヘアドライヤの使い勝手をより向上させることができるようになる。また、毛髪が乾燥しているのに、使用環境の温度を毛髪の温度と使用者が勘違いして、乾いた毛髪をさらに乾燥させてしまうことを抑制することができ、毛髪にダメージを与えてしまうのを抑制することが可能となる。また、温風を毛髪にあてていないときに、報知部が作動してしまうのを抑制することができ、省エネ化を図ることが可能となる。
【００４５】
また、前記毛髪温度測定部により測定された毛髪の温度が第２の温度よりも高い場合には、前記報知部による報知を停止するようにしている。
【００４６】
こうすれば、白熱電球等の高温物体の温度を毛髪の温度と認識してしまうことを抑制することができ、ヘアドライヤの使い勝手をより向上させることができるようになる。また、毛髪が乾いていない状態のときに、白熱電球等の高温物体の温度を毛髪の温度と使用者が勘違いして、毛髪の乾燥を止めてしまうことを抑制することができる。また、温風を毛髪にあてていないときに、報知部が作動してしまうのを抑制することができ、省エネ化を図ることが可能となる。
【００４７】
以下、本発明の実施の形態について、図面を参照しながら説明する。なお、この実施の形態によって本発明が限定されるものではない。
【００４８】
また、以下の複数の実施の形態には、同様の構成要素が含まれている。よって、以下では、それら同様の構成要素には共通の符号を付与するとともに、重複する説明を省略する。
【００４９】
（実施の形態１）
本実施の形態にかかるヘアドライヤ１０は、図１に示すように、送風流路２２が形成されたドライヤ本体２０と、使用者Ｕが手で握る部分である細長の把持部３０と、を備えている。なお、図示省略したが、把持部３０の先端部からは、外部電源等に接続される電源コードが引き出されている。
【００５０】
本実施の形態では、把持部３０は、ドライヤ本体２０に一体に形成されており、ドライヤ本体２０と把持部３０とで略Ｔ字状の外観を呈するように構成されている。このとき、送風流路２２の延在方向（空気流の流向）が把持部３０の長手方向に対して交差する方向となるように、把持部３０をドライヤ本体２０に連設している。
【００５１】
なお、ドライヤ本体２０と把持部３０とで略Ｌ字状の外観を呈するように、把持部３０をドライヤ本体２０に連設させるようにしてもよい。
【００５２】
また、把持部３０をドライヤ本体２０に回動可能に連設し、使用時に、ドライヤ本体２０と把持部３０とで略Ｔ字状あるいは略Ｌ字状の外観を呈するようにしてもよい。
【００５３】
ドライヤ本体２０は、内部が空洞状となるように形成された本体ハウジング２１を備えており、この本体ハウジング２１がドライヤ本体２０の外郭を構成している。
【００５４】
一方、把持部３０は、内部が空洞状となるように形成された把持部側ハウジング３１を備えており、この把持部側ハウジング３１が把持部３０の外郭を構成している。
【００５５】
このように、本実施の形態では、本体ハウジング２１および把持部側ハウジング３１がヘアドライヤ１０の外郭をなすハウジング４０の少なくとも一部を構成している。
【００５６】
このハウジング４０は、例えば、複数の分割体を継ぎ合わせて構成することができる。そして、ハウジング４０の内部には空洞が形成されており、この空洞内に、各種電気部品が収容されている。
【００５７】
本実施の形態では、ドライヤ本体２０の本体ハウジング２１の内部に、長手方向（図１の左右方向）の一方側（右側）の吸入口２２ａから吐出口２２ｂに至る送風流路２２が形成されている。すなわち、ドライヤ本体２０の本体ハウジング２１の内部に、両側部に吸入口２２ａと吐出口２２ｂとを備えた送風流路２２が設けられている。
【００５８】
そして、この送風流路２２内の上流側（吸入口２２ａに近い側）には、送風部２３が配置されており、吸入口２２ａから導入された空気を吐出口２２ｂから吐出させるようにしている。この送風部２３は、例えば、送風流路２２内の上流側に配置されるファンと、ファンの下流側に配置されてファンを駆動するモータと、を備えた構成とすることができる。かかる構成とすれば、モータに通電してファンを駆動し、ファンを回転させた際に、外部から吸入口２２ａを介して送風流路２２内に流入し、当該送風流路２２内を通って吐出口２２ｂから外部に排出される空気流（送風）が形成されるようになる。
【００５９】
また、送風部２３の下流側（送風部２３よりも吐出口２２ｂに近い側）には、送風（空気）を加熱する加熱部２４が配置されている。この加熱部２４を作動させた際には、送風部２３によって形成された空気流（送風）が加熱されて吐出口２２ｂから温風が吹き出されることとなる。この加熱部２４としては、例えば、帯状かつ波板状の電気抵抗体をドライヤ本体２０の本体ハウジング２１の内周に沿って巻回して配置することで形成したヒータを用いることができる。
【００６０】
一方、把持部３０の把持部側ハウジング３１内の空洞には、電源のＯＮとＯＦＦとの切り換え等を行うスイッチ部３２が収容されている。
【００６１】
スイッチ部３２は、把持部側ハウジング３１の表面に露出した操作子３３を操作することで、内部接点の開閉状態を切り換えることができるように構成されている。
【００６２】
さらに、本実施の形態では、送風流路２２内に、ミストや金属微粒子等の荷電微粒子を生成する荷電微粒子生成部２５が収容されている。なお、送風流路２２内に荷電微粒子生成部２５を設けないようにすることも可能である。
【００６３】
このような構成をしたヘアドライヤ１０を用い、使用者Ｕが、吐出口２２ｂから吐出する温風を毛髪（使用者自身の毛髪または使用者以外の他者の毛髪）Ｈにあてるようにすれば、洗髪等により濡れた対象者の毛髪Ｈを乾燥させることができる。
【００６４】
このとき、使用者Ｕがヘアドライヤ１０の姿勢を色々と変えながら対象者の毛髪Ｈの複数の部位に温風をあてて加熱することで、対象者の毛髪Ｈの全体を乾燥させるようにするのが一般的である。
【００６５】
さらに、本実施の形態では、ヘアドライヤ１０は、毛髪Ｈの温度を測定する毛髪温度測定部５２と、毛髪Ｈの状態を報知する報知部５１と、を備えている。また、ヘアドライヤ１０は、毛髪Ｈの乾燥時間をカウントするタイマ５４と、毛髪温度測定部５２から出力された出力結果に基づき、報知部５１への出力を演算する演算部５３と、を備えている。
【００６６】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている（図２参照）。
【００６７】
また、演算部５３が、入力された毛髪の温度の測定値および時間計測値に基づいて、報知部５１の制御を行うようにしている（図２参照）。
【００６８】
毛髪温度測定部５２は、本実施の形態では、吐出口２２ｂの外側に設けられている。具体的には、毛髪温度測定部５２は、吐出口２２ｂの外側における下側（把持部３０側）に設けられている。この毛髪温度測定部５２としては、例えば、赤外線センサを用いることができる。
【００６９】
さらに、本実施の形態では、毛髪温度測定部５２は、図１に示すように、検出軸Ａの向きが吐出口２２ｂから吐出される温風の送風方向Ｗに沿った方向となるように設けられている。
【００７０】
すなわち、本実施の形態では、毛髪温度測定部５２は、送風流路２２の領域外の部位（温風が直接当たらない部位）に、検出軸Ａの向きが吐出口２２ｂから吐出される温風の送風方向Ｗに沿った方向となるように設けられている。
【００７１】
ところで、ヘアドライヤ１０を用いて毛髪Ｈを乾燥させる際には、上述したように、ヘアドライヤ１０の姿勢を色々と変えながら毛髪Ｈの複数の部位に温風をあてて加熱するのが一般的である。
【００７２】
このとき、温風エリアの中心を使って、すなわち、吐出口２２ｂの中央部から吐出される温風を主にあてることで、毛髪Ｈを乾燥させる場合がある。また、温風エリアの端を使って、すなわち、吐出口２２ｂの周縁部から吐出される温風を主にあてることで、毛髪Ｈを乾燥させる場合もある。
【００７３】
ここで、例えば、毛髪温度測定部５２を、温風軸上、すなわち、送風流路２２内（温風が直接当たる部位）に配置していると、温風エリアの中心を使って毛髪Ｈを乾燥させる場合には、毛髪温度測定部５２によって毛髪温度を感度よく検知することができる。しかしながら、温風エリアの端を使って毛髪Ｈを乾燥させる場合には、毛髪温度測定部５２の検知可能範囲（視野：測定領域）５２ａに存在する毛髪Ｈが少なくなってしまい、毛髪温度の検知感度が低下してしまうことがある（図３参照）。なお、図３において実線で示す領域は、温風の吐出範囲である。
【００７４】
これに対して、本実施の形態では、毛髪温度測定部５２を、送風流路２２の領域外の部位（温風が直接当たらない部位）に、検出軸Ａの向きが吐出口２２ｂから吐出される温風の送風方向Ｗに沿った方向となるように設けている。
【００７５】
こうすれば、温風エリアの中心を使って毛髪Ｈを乾燥させる場合であっても、温風エリアの端を使って毛髪Ｈを乾燥させる場合であっても、毛髪温度測定部を毛髪Ｈに対向させることが可能となる（図４参照）。なお、図４において実線で示す領域も温風の吐出範囲である。
【００７６】
このように、送風流路２２の領域外に、検出軸Ａの向きが吐出口２２ｂから吐出される温風の送風方向Ｗに沿った方向となるように毛髪温度測定部５２を設けるようにすれば、ヘアドライヤ１０の使用時における毛髪温度の検知感度をより均一にすることが可能となる。
【００７７】
その結果、毛髪Ｈを、様々な乾燥方法で乾燥させたとしても、ほぼ一定の感度で毛髪温度を測定することができるようになって、毛髪Ｈに仕上がりムラができてしまうのを抑制することができる。
【００７８】
また、毛髪温度測定部５２を、送風流路２２の領域外（温風が直接当たらない部位）に設けているため、毛髪温度の測定時に、温風の影響によるノイズが発生してしまうのを抑制することができる。
【００７９】
さらに、本実施の形態では、毛髪温度測定部５２を吐出口２２ｂの外側における把持部３０側に設けている。
【００８０】
こうすれば、使用者Ｕが使用者自身の毛髪Ｈを温風エリアの端を使って乾燥させる場合に、毛髪Ｈ側に位置することが多い把持部３０側に毛髪温度測定部５２が設けられることとなる。その結果、毛髪温度測定部５２の検知可能範囲（視野）５２ａに、より多くの毛髪Ｈを存在させることができるようになるため、毛髪温度測定部５２によって毛髪Ｈの温度をより確実に検知することができるようになる。
【００８１】
また、本実施の形態では、報知部５１は、本体ハウジング２１の外面に発光体としてのＬＥＤを設けることで形成されている。
【００８２】
このとき、例えば、報知部５１をドライヤ本体２０の中央に設けた場合、毛髪Ｈの状態を認識するためには、使用者Ｕは、毛髪Ｈの加熱部位とドライヤ本体２０の中央に設けられた報知部５１の両方を見る必要がある。そのため、報知部５１をドライヤ本体２０の中央に設けた場合、毛髪Ｈの状態を容易に認識することができないことがあった。
【００８３】
しかしながら、本実施の形態では、本体ハウジング２１の外面における吐出口２２ｂの周囲のほぼ全周にわたって報知部５１を設けている。このように、本体ハウジング２１の外面における吐出口２２ｂの周囲に報知部５１を設けるようにすれば、毛髪Ｈの加熱部位を見ている使用者Ｕの視野の範囲に報知部５１が入るようにすることができる。そのため、使用者Ｕは、視線を移動させることなく毛髪Ｈの状態を確認することができるようになる。
【００８４】
このように、本実施の形態では、報知部５１を本体ハウジング２１の外面における吐出口２２ｂの周囲に設けることで、使用者Ｕが、報知部５１の状態（温風を当てている毛髪Ｈの状態）をより容易に認識できるようにしている。
【００８５】
さらに、本実施の形態では、報知部５１が青色および赤色のいずれかの色で発光するようにＬＥＤ（発光体）を設けている。かかる構成は、例えば、本体ハウジング２１の表側面および裏側面のそれぞれにおける吐出口２２ｂの近辺の１箇所以上に青色ＬＥＤおよび赤色ＬＥＤを配置し、さらに、把持部３０とは反対側の吐出口２２ｂの周囲（吐出口２２ｂの周囲の上部）の１箇所以上にも青色ＬＥＤおよび赤色ＬＥＤを配置することで得ることができる。
【００８６】
このとき、複数の青色ＬＥＤおよび複数の赤色ＬＥＤを吐出口２２ｂの周囲に沿って交互に設け、いずれかの色のＬＥＤを点灯させるようにするのが好ましい。こうすれば、青色ＬＥＤのみを点灯させた場合には、報知部５１が青色のリング状に発光し、赤色ＬＥＤのみを点灯させた場合には、報知部５１が赤色のリング状に発光することとなる。
【００８７】
そして、報知部５１は、毛髪Ｈの状態に基づいて、青色または赤色に発光するように制御されている。本実施の形態では、毛髪Ｈの温度に基づいて、報知部５１が青色または赤色に発光するようにしている。具体的には、毛髪Ｈの温度が所定の温度（後述する目標温度）よりも低い場合には、報知部５１を青色に発光させ、毛髪Ｈの温度が所定の温度（後述する目標温度）以上の場合には、報知部５１を赤色に発光させるようにしている。
【００８８】
このように、本実施の形態では、報知部５１を吐出口２２ｂの周囲に設けるとともに、当該報知部５１を毛髪Ｈの状態（毛髪温度測定部５２によって測定された毛髪温度）に基づいて青色または赤色に発光させるようにしている。こうすれば、ヘアドライヤ１０の使用時に、発光体からの放射光が毛髪Ｈに反射して、毛髪Ｈの加熱されている部位が、報知部５１の発光色に色づいたように見えるため、使用者Ｕは、より直感的に毛髪Ｈの状態を認識することができるようになる。
【００８９】
なお、発光体はＬＥＤに限られるものではなく、発光するものであればどのようなものでもよい。また、発光させる色は、青色および赤色に限られるものではなく、発光させる色を適宜選択することができる。
【００９０】
また、報知部５１による報知方法は、発光体を発光させることに限られるものではなく、例えば、発光体および音によって報知させるようにすることも可能である。
【００９１】
タイマ５４は、上述したように、毛髪Ｈの乾燥時間をカウントするものである。
【００９２】
また、演算部５３は、上述したように、毛髪温度測定部５２で測定された出力結果（毛髪の温度の測定値）およびタイマ５４でカウントされたカウント値（時間計測値）が入力されて、報知部５１への出力を演算するものである。このような演算部５３としては、例えば、制御基板上に設けられたマイコン等を用いることができる。
【００９３】
ところで、使用者Ｕがヘアドライヤ１０を用いて毛髪Ｈを乾燥させる際には、単に毛髪Ｈを乾燥させるだけでなく、毛髪Ｈを乾燥させつつ、毛髪Ｈのクセを矯正したり、毛髪Ｈをまとめたりする等の整髪も行うようにするのが一般的である。
【００９４】
そして、整髪効果をより向上させるためには、毛髪Ｈの温度をガラス転移点Ｇ以上とした状態で整髪を行う必要がある。なお、ガラス転移点Ｇは、水分量の異なる複数の毛髪サンプルを用いて想定した結果（図５の黒塗りの点）に基づき算出しており、基本的には、水分量が少なくなるほど、ガラス転移点Ｇは高くなる。
【００９５】
さらに、毛髪Ｈの整髪効果をより向上させるためには、洗髪等により濡れている毛髪（水分量が多く、ガラス転移点Ｇよりも低い温度となっている毛髪）Ｈを、より迅速に、理想領域Ｒの範囲内となるようにするのが好ましい。濡れている毛髪Ｈを理想領域Ｒの範囲内に納めるまでにかかる時間が長くなってしまうと、毛髪Ｈのクセが矯正されずに整髪効果が低下してしまうことがあるためである。なお、理想領域とは、図５に示すように、毛髪Ｈの水分量が１１％以上１３％以下で、毛髪温度が５５℃以上７５℃以下となる範囲のことである。
【００９６】
また、使用者Ｕがヘアドライヤ１０を用いて、毛髪Ｈを乾燥させる際には、ある部位の毛髪Ｈを加熱したら別の部位に移動して移動した部位を加熱するという作業を繰り返し、頭髪全体を少しずつ乾かしていくのが一般的である。
【００９７】
したがって、頭髪全体のうちのある部位における毛髪Ｈに着目すると、この部分では、加熱→放熱→加熱…が繰り返されて、毛髪温度が上下に変化することとなる（図６および図７参照）。そして、特定の部位の毛髪Ｈは、加熱→放熱→加熱…を繰り返すことで、毛髪温度を上下に変化させるとともに、水分量を減少させて、理想領域Ｒに到達することとなる。
【００９８】
このとき、洗髪等により濡れている毛髪Ｈをより迅速に理想領域Ｒに到達させるためには、毛髪Ｈに与えられる熱量の総和を、より短期間で所定の熱量となるようにする必要がある。
【００９９】
ただし、８０℃の風（熱風）を同一の部位に１秒以上あてたり、７５℃の風（熱風）を同一の部位に３秒以上あてたりする等、毛髪Ｈにダメージを与えてしまう熱量（ダメージ限界温度を超える熱量）を短時間に与えてしまうと、毛髪のダメージにより整髪効果が低下してしまう。
【０１００】
したがって、毛髪Ｈにダメージを与えてしまうのを抑制しつつ、より短期間で所定の熱量を毛髪Ｈに与える必要がある。
【０１０１】
以下では、毛髪Ｈにダメージを与えてしまうのを抑制しつつ、より短期間で所定の熱量を毛髪Ｈに与えることが可能な報知部５１の制御方法を例示する。なお、報知部５１の制御方法は、以下で説明する方法に限られるものではなく、様々な方法で報知部５１の制御を行うことができる。
【０１０２】
まず、図６に示すように、理想領域Ｒの温度の上限である７５℃に近い温度を目標温度とし、毛髪温度が加熱により目標温度以上となったら別の部位に移動させるようにすることで、毛髪Ｈを少しずつ乾燥させるようにする方法を用いることができる。この図６に示す方法を用いれば、洗髪等により濡れている毛髪Ｈを比較的迅速に理想領域Ｒに到達させることができるようになるため、整髪効果の向上を図ることが可能となる。
【０１０３】
しかしながら、毛髪Ｈは、水分量が多い状態では、気化熱の影響で温まりにくく冷め易いものである。そのため、毛髪Ｈの乾燥の序盤においては、理想領域Ｒの温度の範囲内で乾かしているときに毛髪Ｈに与えられる熱量（毛髪温度が５５℃以上となる部分と、５５℃の横線とで囲まれる領域の面積）は、比較的小さくなっている。そのため、図６に示す方法（目標温度を一定の温度に設定する方法）では、毛髪Ｈが理想領域Ｒに収まるまでの時間が長くなってしまうことがある。そして、毛髪Ｈが理想領域Ｒに収まるまでの時間が長くかかってしまうと、毛髪Ｈのクセを伸ばすことができず、毛髪Ｈをまとめることができない場合がある。
【０１０４】
そのため、報知部５１の制御方法として、図６に示す方法よりも迅速に毛髪Ｈを理想領域Ｒに到達させることのできる方法を用いるのが好ましい。
【０１０５】
例えば、図７に示すように、毛髪Ｈを加熱して上昇させるべき温度を目標温度とし、目標温度を毛髪Ｈの乾燥開始時からの乾燥時間に基づいて演算部５３に演算させるようにするのが好ましい。
【０１０６】
具体的には、図７では、毛髪Ｈが濡れているとき（水分量が多いとき）は、毛髪Ｈを加熱したとしても、放熱時にはすぐに毛髪温度が下がる点に着目し、乾燥の初期段階では、目標温度を理想領域Ｒの温度の上限（７５℃）よりも高い温度となるように設定している。そして、乾燥開始時からの時間が経過した乾燥終了時における目標温度が乾燥の初期段階における目標温度よりも低温となるようにしている。
【０１０７】
すなわち、演算部５３が、乾燥開始時よりも乾燥終了時のほうが低温となるように目標温度を演算するようにしている。
【０１０８】
さらに、この図７には、乾燥開始時からの時間が経過するにつれて目標温度を徐々に下げていくようにしたものを例示している。
【０１０９】
すなわち、図７には、乾燥開始時点における目標温度が最も温度が高い最高温度となるようにし、乾燥終了時点における目標温度が最も低い最低温度となるようにしたものを例示している。なお、目標温度は、乾燥開始時点における最高温度から最低温度となるまでは時間が経過するにつれて徐々に低下しているが、最低温度となった後は、時間が経過しても、一定の値（最低温度）となるようにしている。
【０１１０】
なお、目標温度は、乾燥終了時（乾燥開始時から毛髪Ｈの乾燥に要する平均的な時間が過ぎたとき）において、最低温度となっていればよく、乾燥の途中で目標温度が最低温度となるようにしてもよい。
【０１１１】
ここで、目標温度の最高温度は、例えば、約８０℃とすることができる。また、目標温度の最低温度は、例えば、約７５℃（理想領域Ｒの温度の上限である７５℃に近い値）とすることができる。
【０１１２】
また、乾燥開始時から最低温度となるまでに要する時間は、例えば、１５０〜３００秒の範囲で設定することができる。
【０１１３】
このとき、乾燥開始時から最低温度となるまでに要する時間を、例えば、２００秒等の一定の時間に設定してもよい。また、毛髪の長さを使用者に選択させた結果を元に、乾燥開始時から最低温度となるまでに要する時間を変化させるようにしてもよい。例えば、使用者が選択した毛髪の長さが長い場合には、比較的長い時間が設定されるようにし、使用者が選択した毛髪の長さが短い場合には、比較的短い時間が設定されるようにしてもよい。
【０１１４】
このように、演算部５３が演算した目標温度となるまで毛髪Ｈを加熱するようにすれば、毛髪Ｈにダメージ限界温度を超える熱量を与えることなく、毛髪Ｈをより素早く理想領域Ｒの範囲内に納めることができるようになる。
【０１１５】
なお、図６に示す方法（目標温度を時間の経過によらずほぼ一定の値とする方法）や、図７に示す目標温度の推移は、報知部５１の制御方法の一例に過ぎず、他の方法で報知部５１の制御することも可能である。例えば、図９に示すように、目標温度を、上下に振動させながら徐々に低下させる（波打つように低下させる）ことも可能である。このとき、乾燥開始時点における目標温度を最高温度とする必要はない。
【０１１６】
また、目標温度を段階的に変化させ、所定時間は一定の温度となるように推移させることも可能である。
【０１１７】
次に、演算部５３による報知部５１の制御方法の一例を図８に基づき説明する。
【０１１８】
まず、ヘアドライヤ１０の操作子３３を操作し、スイッチ部３２の内部接点の開閉状態を切り換えることで、電源をＯＮにする。
【０１１９】
その後、所定の部位の毛髪Ｈに温風をあてて毛髪Ｈの乾燥を開始する（図８のＳ１１）。
【０１２０】
毛髪Ｈの乾燥が開始されると、タイマ５４が作動して乾燥時間をカウントする（図８のＳ１２）。なお、タイマ５４を作動させるタイミングは適宜設定することができる。例えば、電源ＯＮと同時にカウントが開始されるようにしてもよいし、電源をＯＮにしてから所定時間経過した際に、乾燥が開始されたと判断してカウントを開始するようにしてもよい。
【０１２１】
そして、乾燥時間がカウントされると、タイマ５４でカウントされたカウント値（時間計測値）が演算部５３に入力され、演算部５３が、乾燥時間（入力されたカウント値：時間計測値）に基づいて、目標温度を演算する（図８のＳ１３）。
【０１２２】
一方、毛髪温度測定部５２は、毛髪Ｈの温度を測定する（図８のＳ１４）。そして、毛髪温度測定部５２で測定された出力結果（毛髪の温度の測定値）が演算部５３に入力される。
【０１２３】
そして、演算部５３が、毛髪温度測定部５２から出力された出力結果（毛髪の温度の測定値）に基づいて、毛髪温度測定部５２により測定された毛髪Ｈの温度が演算した目標温度に達したか否かを判定する（図８のＳ１５）。すなわち、毛髪温度測定部５２により測定された毛髪Ｈの温度と演算した目標温度とを比較する。
【０１２４】
そして、Ｓ１５の判定に基づき、演算部５３が報知部５１を制御する（図８のＳ１６）。具体的には、毛髪Ｈの温度＜目標温度となっていれば、演算部５３は、報知部５１を青色に発光させる。その後、毛髪Ｈの温度≧目標温度となるまで、上記Ｓ１３〜Ｓ１５の動作を繰り返す。そして、毛髪Ｈの温度≧目標温度となった場合には、演算部５３は、報知部５１を赤色に発光させる。そして、使用者Ｕは、報知部５１が赤色に発光したことを確認し、別の場所の毛髪Ｈに温風をあてて乾燥させる。このとき、上記Ｓ１３〜Ｓ１６の動作が繰り返される。
【０１２５】
そして、かかる動作を繰り返すことで、頭髪の全体が乾燥される。
【０１２６】
以上説明したように、本実施の形態にかかるヘアドライヤ１０は、吸入口２２ａおよび吐出口２２ｂを有する送風流路２２が形成されたドライヤ本体２０と、送風流路２２に配置される送風部２３と、送風流路２２内の送風部２３よりも吐出口２２ｂ側に配置される加熱部２４と、を備えている。
【０１２７】
また、ヘアドライヤ１０は、毛髪Ｈの温度を測定する毛髪温度測定部５２と、毛髪Ｈの状態（毛髪温度）を報知する報知部５１と、を備えている。
【０１２８】
そして、報知部５１が吐出口２２ｂの周囲に設けられたＬＥＤ（発光体）を有している。
【０１２９】
こうすることで、毛髪Ｈの加熱部位を見ている使用者Ｕの視野の範囲に報知部５１が入るようにすることができるため、使用者Ｕは、視線を移動させることなく毛髪Ｈの状態を確認することができるようになる。その結果、より容易に毛髪Ｈの状態を確認することができるようになる。
【０１３０】
なお、上記では、毛髪Ｈの状態（毛髪温度）に基づいて、青色または赤色に発光するように報知部５１を制御するものを例示したが、２色の発光体を用いて毛髪Ｈの状態を使用者Ｕに認識させるようにする場合、毛髪Ｈがいつ所定の温度に達するかが分からない（青色が表示されているだけでは、毛髪Ｈが水分を多く含んでおり、温度が上昇するまでに時間がかかる状態にあるのか、もうすぐ赤色表示になるくらい温度が上昇しているのかがわからない）ため、使用者Ｕが途中で乾燥を止めてしまう可能性がある。
【０１３１】
そのため、図１０に示すように、報知部５１の発光体を青色、緑色、赤色の３色に発光させるようにするのが好ましい。
【０１３２】
図１０では、毛髪温度が３５℃〜４５℃の範囲で設定した所定の温度よりも低い場合には、報知部５１を青色に発光させ、毛髪温度が５５℃〜７５℃の範囲で設定した所定の温度よりも高い場合には、報知部５１を赤色に発光させるようにしている。そして、毛髪温度が、上記２つの所定の温度の間の温度となっている場合には、報知部５１を緑色に発光させるようにしている。
【０１３３】
このように、報知部５１の発光体を青色、緑色、赤色の３色に発光させるようにすれば、毛髪Ｈを乾燥させる際に、毛髪Ｈの状態の途中経過を認識することが可能となるため、より理想的な乾燥方法で毛髪Ｈを乾燥させることが可能となって、ヘアドライヤ１０の使い勝手をより向上させることができる。
【０１３４】
例えば、以下のようにして毛髪Ｈを乾燥させることができる。まず、乾燥を開始した際には、頭髪の全体を少しずつ乾かし、報知部５１が青色で発光される部分がなくなるようにする。その後、報知部５１が赤色に発光しはじめたら、整髪（スタイリング）を行う。そして、頭髪の全体で報知部５１が赤色に発光したら乾燥を終了させる。
【０１３５】
また、８割乾燥させた段階で整髪を行うなど乾燥度に応じた乾かし方もできるようになる。
【０１３６】
（実施の形態２）
本実施の形態にかかるヘアドライヤ１０Ａは、基本的に上記実施の形態１とほぼ同様の構成をしている。すなわち、ヘアドライヤ１０Ａは、図１１に示すように、吸入口２２ａおよび吐出口２２ｂを有する送風流路２２が形成されたドライヤ本体２０を備えている。
【０１３７】
また、ヘアドライヤ１０Ａは、送風流路２２に配置される送風部２３と、送風流路２２内の送風部２３よりも吐出口２２ｂ側に配置される加熱部２４と、を備えている。
【０１３８】
さらに、ヘアドライヤ１０Ａは、毛髪Ｈの温度を測定する毛髪温度測定部５２と、毛髪Ｈの状態を報知する報知部５１と、を備えている。
【０１３９】
本実施の形態においても、報知部５１は、吐出口２２ｂの周囲に設けられた発光体を有しており、上記実施の形態１と同様に、本体ハウジング２１の外面に発光体としてのＬＥＤを設けることで報知部５１を形成することができる。
【０１４０】
ここで、本実施の形態では、報知部５１の発光体を、本体ハウジング２１の吐出口２２ｂ側の側面（周面）ではなく、本体ハウジング２１の下流側の端面２１ａに設けている（図１１参照）。なお、図１１には、報知部５１の発光体を、前方に露出した状態で本体ハウジング２１の下流側の端面２１ａに埋め込み固定したものを例示しているが、発光体を本体ハウジング２１の下流側の端面２１ａに、前方に突出するように取り付けてもよい。
【０１４１】
このように、本体ハウジング２１の下流側の端面２１ａに報知部５１の発光体を設けるようにすれば、発光体からの光を使用者Ｕの毛髪Ｈに直接的に照らすことができるようになる。すなわち、発光体により光が放射される領域（発光領域５１ａ）の全体を毛髪Ｈに直接的に照らすことができるようになる。
【０１４２】
また、本実施の形態においても、発光体として青色ＬＥＤおよび赤色ＬＥＤを用いることができる。そして、毛髪Ｈの温度に基づいて、報知部５１を青色または赤色に発光させるように制御することができる。なお、本実施の形態では、毛髪Ｈの温度に基づいて、報知部５１を青色または赤色に発光させた場合には、毛髪Ｈが青色または赤色に発光することとなる。
【０１４３】
このとき、発光領域５１ａのサイズ、すなわち、毛髪Ｈにおける報知部５１によって発光される領域を、適宜調整するのが好ましい。例えば、レンズ等をさらに搭載することで、発光体から所定距離だけ離れた部位における発光領域５１ａが所定の範囲となるように調整することができる。
【０１４４】
また、発光体は、本体ハウジング２１の下流側の端面２１ａに、主光軸方向Ａ１を温風の送風方向Ｗと略平行にした状態で設けることができる。しかしながら、発光体は、図１１（ａ）に示すように、主光軸方向Ａ１を温風の送風方向Ｗと交差させた状態で本体ハウジング２１の下流側の端面２１ａに設けるようにするのが好ましい。こうすれば、ヘアドライヤ１０Ａの吐出口２２ａから所定距離だけ下流側に離れた位置における発光領域５１ａを、毛髪Ｈの加熱領域と略一致させることができる。
【０１４５】
また、上述の所定距離は、ヘアドライヤ１０Ａの通常の使用時に、一般的に想定される吐出口２２ａから毛髪Ｈまでの距離に基づいて設定するのが好ましい。例えば、ヘアドライヤ１０Ａの通常の使用時に、一般的に想定される吐出口２２ａから毛髪Ｈまでの距離が１０ｃｍ〜２０ｃｍであると仮定すると、吐出口２２ａからの距離が１０ｃｍ〜２０ｃｍまでの間の任意の距離を所定距離とするのが好ましい。こうすれば、吐出口２２ａから所定距離だけ離れた位置における発光領域５１ａを毛髪Ｈの加熱領域と略一致させるようにすることができる。
【０１４６】
さらに、ヘアドライヤ１０Ａの使用時に一般的に想定される距離だけ吐出口２２ａから離した状態で毛髪Ｈに温風をあてた時に、熱によるダメージを極力抑制しつつ、より効率的に毛髪Ｈを乾燥させることができるようにするのが好ましい。こうすれば、ヘアドライヤ１０Ａの通常の使用方法が、ヘアドライヤ１０Ａのより適切な使用方法となるため、ヘアドライヤ１０Ａのより適切な使用状態において、発光領域５１ａを毛髪Ｈの加熱領域と略一致させるようにすることができる。その結果、通常の使用時（より適切な使用時）における毛髪Ｈの加熱部位を、より明確に使用者Ｕに報知することができるようになるため、ヘアドライヤ１０Ａの風をより効率よく毛髪Ｈにあてることができるようになって、ヘアドライヤ１０Ａの使い勝手をより向上させることができるようになる。
【０１４７】
また、毛髪温度測定部５２は、本実施の形態においても、送風流路２２の領域外（温風が直接当たらない部位）に設けられており、毛髪温度の測定時に温風の影響によるノイズが発生してしまうのを抑制できるようにしている。
【０１４８】
そして、報知部５１の発光体および毛髪温度測定部５２を、把持部３０の軸および温風軸を含む平面に垂直な方向（把持部３０の延在方向および温風の送風方向Ｗと直交する方向）に並べて配置している。図１１には、報知部５１の発光体および毛髪温度測定部５２を、本体ハウジング２１の下流側の端面２１ａの上部に左右方向（ヘアドライヤ１０Ａの幅方向）に並ぶように配置したものを例示している。
【０１４９】
さらに、本実施の形態では、図１１（ａ）および図１１（ｂ）に示すように、毛髪温度測定部５２の検出軸Ａの向きを発光体の主光軸方向Ａ１と略一致させている。すなわち、毛髪温度測定部５２の検出軸Ａの向きと発光体の主光軸方向Ａ１とが略平行となるように、発光体および毛髪温度測定部５２を配置している。このとき、検出軸Ａの向きも温風の送風方向Ｗと交差することとなる。
【０１５０】
また、本実施の形態では、毛髪温度測定部５２の測定領域５２ａを毛髪Ｈの加熱部位とも略一致させている。したがって、本実施の形態では、ヘアドライヤ１０Ａの通常の使用時におけるヘアドライヤ１０Ａと毛髪Ｈとの距離（所定距離）において、毛髪Ｈの加熱部位、発光領域５１ａおよび測定領域５２ａを略一致させている。
【０１５１】
こうすれば、ヘアドライヤ１０Ａの通常の使用時における毛髪Ｈの発光部位を、毛髪温度測定部５２の測定領域５２ａと略一致させることができるため、毛髪温度をより正しく測定できるようになる。
【０１５２】
さらに、ヘアドライヤ１０Ａの通常の使用時における毛髪Ｈの発光部位を、毛髪温度測定部５２の測定領域５２ａおよび毛髪Ｈの加熱部位と略一致させることができる。こうすれば、使用者Ｕが、どの部分の毛髪温度を測定しているのか、および、どの部分の毛髪Ｈを加熱しているのかを、より正しく認識することができるため、ヘアドライヤ１０Ａをより直感的に使用することができるようになる。その結果、ヘアドライヤ１０Ａの使い勝手をより向上させることができるようになる。
【０１５３】
ところで、報知部５１の発光体および毛髪温度測定部５２を左右方向（ヘアドライヤ１０Ａの幅方向）に並設すると、図１１（ｂ）に示すように、報知部５１の発光領域５１ａと毛髪温度測定部５２の測定領域５２ａとが左右方向に若干ずれてしまう。
【０１５４】
しかしながら、ヘアドライヤ１０Ａを用いて毛髪Ｈを乾燥させる際には、ヘアドライヤ１０Ａを左右に振りながら毛髪Ｈを乾燥させることが多い。そして、ヘアドライヤ１０Ａを左右に振ったときには、報知部５１の発光領域５１ａと毛髪温度測定部５２の測定領域５２ａとの左右方向へのズレが相殺されることとなる。すなわち、一般的に頻度の高い使用状態（ヘアドライヤ１０Ａを左右に振りながら毛髪Ｈを乾燥させる状態）においては、発光領域５１ａと測定領域５２ａとのズレを相殺することができる。
【０１５５】
このように、報知部５１の発光体および毛髪温度測定部５２を左右方向（ヘアドライヤ１０Ａの幅方向）に並設すれば、ヘアドライヤ１０Ａの使用時の大半において、発光領域５１ａと測定領域５２ａとの左右方向へのズレによる影響を緩和することができるようになる。すなわち、ヘアドライヤ１０Ａの使用時に、毛髪温度測定部５２により測定された毛髪温度と実際の毛髪温度との間に差が生じてしまうのを緩和させることができる。その結果、より効率よく毛髪Ｈを乾燥させることができるようになる。
【０１５６】
また、ヘアドライヤ１０Ａは、毛髪Ｈの乾燥時間をカウントするタイマ５４と、毛髪温度測定部５２から出力された出力結果に基づき、報知部５１への出力を演算する演算部５３と、を備えている。
【０１５７】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている。
【０１５８】
また、演算部５３が、入力された毛髪の温度の測定値および時間計測値に基づいて、報知部５１の制御を行うようにしている。
【０１５９】
したがって、本実施の形態においても、上記実施の形態１で例示した報知部５１の制御方法を用いて、報知部５１を制御することができる。
【０１６０】
以上の本実施の形態によっても、上記実施の形態１で示したヘアドライヤ１０と同様の作用、効果を奏することができる。
【０１６１】
また、本実施の形態では、発光体の発光領域５１ａと毛髪温度測定部５２の測定領域５２ａとを略一致させている。
【０１６２】
こうすることで、使用者Ｕが、どの部分の毛髪温度を測定しているのかを、より正しく認識することができるため、ヘアドライヤ１０Ａをより直感的に使用することができるようになる。その結果、ヘアドライヤ１０Ａの使い勝手をより向上させることができるようになる。
【０１６３】
なお、発光体はＬＥＤに限られるものではなく、発光するものであればどのようなものでもよい。また、発光させる色は、青色および赤色に限られるものではなく、発光させる色を適宜選択することができる。
【０１６４】
また、報知部５１による報知方法は、発光体を発光させることに限られるものではなく、例えば、発光体および音によって報知させるようにすることも可能である。
【０１６５】
（実施の形態３）
本実施の形態にかかるヘアドライヤ１０Ｂは、基本的に上記実施の形態１とほぼ同様の構成をしている。すなわち、ヘアドライヤ１０Ｂは、図１２に示すように、吸入口２２ａおよび吐出口２２ｂを有する送風流路２２が形成されたドライヤ本体２０を備えている。
【０１６６】
また、ヘアドライヤ１０Ｂは、送風流路２２に配置される送風部２３と、送風流路２２内の送風部２３よりも吐出口２２ｂ側に配置される加熱部２４と、を備えている。
【０１６７】
さらに、ヘアドライヤ１０Ｂは、毛髪Ｈの温度を測定する毛髪温度測定部５２と、毛髪Ｈの状態を報知する報知部５１と、を備えている。また、ヘアドライヤ１０Ｂは、毛髪Ｈの乾燥時間をカウントするタイマ５４と、毛髪温度測定部５２から出力された出力結果に基づき、報知部５１への出力を演算する演算部５３と、を備えている。
【０１６８】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている。
【０１６９】
また、演算部５３が、入力された毛髪の温度の測定値および時間計測値に基づいて、報知部５１の制御を行うようにしている。
【０１７０】
したがって、本実施の形態においても、上記実施の形態１で例示した報知部５１の制御方法を用いて、報知部５１を制御することができる。
【０１７１】
ここで、本実施の形態では、報知部５１が吸入口２２ａの周囲に設けられた発光体を有している。この報知部５１も、上記実施の形態１と同様に、本体ハウジング２１の外面に発光体としてのＬＥＤを設けることで形成することができる。
【０１７２】
具体的には、複数の青色ＬＥＤおよび複数の赤色ＬＥＤを吸入口２２ａの周囲に沿って交互に設け、いずれかの色のＬＥＤを点灯させるようにすることで、報知部５１を青色および赤色のいずれかの色で発光させる構成とすることができる。
【０１７３】
そして、報知部５１は、毛髪Ｈの状態に基づいて、青色または赤色に発光するように制御されている。本実施の形態では、毛髪Ｈの温度に基づいて、報知部５１が青色または赤色に発光するようにしている。
【０１７４】
以上の本実施の形態によっても、上記実施の形態１で示したヘアドライヤ１０と同様の作用、効果を奏することができる。
【０１７５】
また、本実施の形態では、報知部５１が吸入口２２ａの周囲に設けられた発光体を有している。
【０１７６】
こうすれば、図１３に示すように、使用者Ｕが後頭部を乾燥させているときに、報知部５１を鏡に写すことができるため、より容易に毛髪Ｈの状態を確認することができるようになる。
【０１７７】
なお、本実施の形態においても、報知部５１の発光体を青色、緑色、赤色の３色に発光させるようにすることが可能である（図１０参照）。
【０１７８】
（実施の形態４）
本実施の形態にかかるヘアドライヤ１０Ｃは、基本的に上記実施の形態１とほぼ同様の構成をしている。すなわち、ヘアドライヤ１０Ｃは、図１４に示すように、吸入口２２ａおよび吐出口２２ｂを有する送風流路２２が形成されたドライヤ本体２０を備えている。
【０１７９】
また、ヘアドライヤ１０Ｃは、送風流路２２に配置される送風部２３と、送風流路２２内の送風部２３よりも吐出口２２ｂ側に配置される加熱部２４と、を備えている。
【０１８０】
さらに、ヘアドライヤ１０Ｃは、毛髪Ｈの温度を測定する毛髪温度測定部５２と、毛髪Ｈの状態を報知する報知部５１と、を備えている。また、ヘアドライヤ１０Ｃは、毛髪Ｈの乾燥時間をカウントするタイマ５４と、毛髪温度測定部５２から出力された出力結果に基づき、報知部５１への出力を演算する演算部５３と、を備えている。
【０１８１】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている。
【０１８２】
また、演算部５３が、入力された毛髪の温度の測定値および時間計測値に基づいて、報知部５１の制御を行うようにしている。
【０１８３】
したがって、本実施の形態においても、上記実施の形態１で例示した報知部５１の制御方法を用いて、報知部５１を制御することができる。
【０１８４】
ここで、本実施の形態では、報知部５１が把持部３０の先端に設けられた発光体を有している。この報知部５１も、上記実施の形態１と同様に、本体ハウジング２１の外面に発光体としてのＬＥＤを設けることで形成することができる。
【０１８５】
具体的には、複数の青色ＬＥＤおよび複数の赤色ＬＥＤを把持部３０の先端の周囲に沿って交互に設け、いずれかの色のＬＥＤを点灯させるようにすることで、報知部５１を青色および赤色のいずれかの色で発光させる構成とすることができる。
【０１８６】
そして、報知部５１は、毛髪Ｈの状態に基づいて、青色または赤色に発光するように制御されている。本実施の形態では、毛髪Ｈの温度に基づいて、報知部５１が青色または赤色に発光するようにしている。
【０１８７】
以上の本実施の形態によっても、上記実施の形態１で示したヘアドライヤ１０と同様の作用、効果を奏することができる。
【０１８８】
また、本実施の形態では、報知部５１が吸入口２２ａの周囲に設けられた発光体を有している。
【０１８９】
こうすれば、図１５に示すように、使用者Ｕが後頭部を乾燥させているときに、報知部５１を鏡に写すことができるため、より容易に毛髪Ｈの状態を確認することができるようになる。
【０１９０】
なお、本実施の形態においても、報知部５１の発光体を青色、緑色、赤色の３色に発光させるようにすることが可能である（図１０参照）。
【０１９１】
（実施の形態５）
本実施の形態にかかるヘアドライヤ１０Ｄは、基本的に上記実施の形態１とほぼ同様の構成をしている。すなわち、ヘアドライヤ１０Ｄは、図１６に示すように、吸入口２２ａおよび吐出口２２ｂを有する送風流路２２が形成されたドライヤ本体２０を備えている。
【０１９２】
また、ヘアドライヤ１０Ｄは、送風流路２２に配置される送風部２３と、送風流路２２内の送風部２３よりも吐出口２２ｂ側に配置される加熱部２４と、を備えている。
【０１９３】
さらに、ヘアドライヤ１０Ｄは、毛髪Ｈの温度を測定する毛髪温度測定部５２と、毛髪Ｈの状態を報知する報知部５１と、を備えている。また、ヘアドライヤ１０Ｄは、毛髪Ｈの乾燥時間をカウントするタイマ５４と、毛髪温度測定部５２から出力された出力結果に基づき、報知部５１への出力を演算する演算部５３と、を備えている。
【０１９４】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている。
【０１９５】
また、演算部５３が、入力された毛髪の温度の測定値および時間計測値に基づいて、報知部５１の制御を行うようにしている。
【０１９６】
したがって、本実施の形態においても、上記実施の形態１で例示した報知部５１の制御方法を用いて、報知部５１を制御することができる。
【０１９７】
ところで、上記実施の形態１〜４で例示したヘアドライヤ１０，１０Ａ，１０Ｂ，１０Ｃでは、報知部５１をドライヤ本体２０に設け、報知部５１を直接もしくは鏡を介して視認することで、毛髪Ｈの状態を認識できるようにしている。
【０１９８】
しかしながら、使用者Ｕによっては、鏡を見ずに毛髪Ｈを乾かしたり、下を向いた状態で毛髪Ｈを乾かしたりすることがある。そして、このような使用者Ｕにとっては、上記実施の形態１〜４で例示したヘアドライヤ１０，１０Ａ，１０Ｂ，１０Ｃは、使い勝手があまりよくないものとなってしまう。
【０１９９】
そこで、本実施の形態では、報知部５１をドライヤ本体２０とは別体に設け、鏡を見ずに毛髪を乾かしたり、下を向いた状態で毛髪を乾かしたりする使用者Ｕにとっても、毛髪Ｈの状態を認識しやすい構成となるようにしている。
【０２００】
具体的には、報知部５１を、スマートフォンやパソコン等の情報処理端末に設けている。
【０２０１】
なお、報知部５１は情報処理端末に設けられる必要はなく、本体ハウジング２０とは別体に設けられ、毛髪Ｈの状態を報知することが可能なものであれば、いかなるものを用いてもよい。
【０２０２】
また、図１６には、報知部５１が設けられた情報処理端末を本体ハウジング内の電気部品（演算部５３等）に有線接続させたものを例示しているが、報知部５１が設けられた情報処理端末を本体ハウジング内の電気部品（演算部５３等）に無線接続させるようにすることも可能である。
【０２０３】
以上の本実施の形態によっても、上記実施の形態１で示したヘアドライヤ１０と同様の作用、効果を奏することができる。
【０２０４】
また、本実施の形態では、報知部５１をドライヤ本体２０とは別体に設けている。
【０２０５】
こうすれば、使用者自身が見やすい場所に報知部５１を設置することができるため、ヘアドライヤ１０Ｄの使い勝手をより向上させることができるようになる。
【０２０６】
また、報知部５１が情報処理端末に設けられている。
【０２０７】
こうすれば、毛髪Ｈの状態が変化する様子を画面で表示することが可能となって、ヘアドライヤ１０Ｄの使い勝手をより向上させることができるようになる。
【０２０８】
なお、報知部５１による報知方法としては、様々な方法を用いることができる。例えば、発光体を発光させることで報知させるようにしてもよいし、音により報知させるようにしてもよい。また、発光体および音によって報知させるようにすることも可能である。
【０２０９】
なお、発光体を発光させることで報知させるようにする場合、発光体を青色、赤色の２色に発光させることも可能であるし、発光体を青色、緑色、赤色の３色に発光させることも可能である（図１０参照）。
【０２１０】
（実施の形態６）
本実施の形態にかかるヘアドライヤ１０Ｅは、基本的に上記実施の形態１とほぼ同様の構成をしている。すなわち、ヘアドライヤ１０Ｅは、図１７に示すように、吸入口２２ａおよび吐出口２２ｂを有する送風流路２２が形成されたドライヤ本体２０を備えている。
【０２１１】
また、ヘアドライヤ１０Ｅは、送風流路２２に配置される送風部２３と、送風流路２２内の送風部２３よりも吐出口２２ｂ側に配置される加熱部２４と、を備えている。
【０２１２】
さらに、ヘアドライヤ１０Ｅは、毛髪Ｈの温度を測定する毛髪温度測定部５２と、毛髪Ｈの状態（毛髪温度）を報知する報知部５１と、を備えている。また、ヘアドライヤ１０は、毛髪Ｈの乾燥時間をカウントするタイマ５４と、毛髪温度測定部５２から出力された出力結果に基づき、報知部５１への出力を演算する演算部５３と、を備えている。
【０２１３】
さらに、ヘアドライヤ１０Ｅは、使用環境の温度を測定する使用環境温度測定部５６を備えている。使用環境温度測定部５６としては、室温（使用環境温度）を測定する室温センサ等を用いることができる。
【０２１４】
そして、毛髪温度測定部５２で測定された出力結果（毛髪の温度の測定値）が演算部５３に入力されるとともに、タイマ５４でカウントされたカウント値（時間計測値）が演算部５３に入力されるようにしている（図１８参照）。
【０２１５】
また、室温測定部（使用環境温度測定部）５６で測定された出力結果（室温（使用環境温度）の測定値）が演算部５３に入力されるようにしている（図１８参照）。
【０２１６】
さらに、演算部５３が、入力された毛髪の温度の測定値、時間計測値、および室温（使用環境温度）の測定値に基づいて、報知部５１の制御を行うようにしている（図１８参照）。
【０２１７】
ここで、本実施の形態では、演算部５３は、室温測定部（使用環境温度測定部）５６により測定された室温（使用環境温度）に基づいて、目標温度を調節している。
【０２１８】
具体的には、図１９に示すように、室温（使用環境温度）が高い場合には、目標温度が高くなるようにしている。
【０２１９】
また、本実施の形態では、演算部５３は、上記実施の形態１と同様に、タイマ５４によりカウントされた乾燥時間に基づいて、加熱すべき目標温度を演算している。
【０２２０】
また、演算部５３は、上記実施の形態１と同様に、毛髪温度測定部５２から出力された出力結果に基づいて、毛髪温度測定部５２により測定された温度が目標温度に達したか否かを判定している。
【０２２１】
さらに、演算部５３は、上記実施の形態１と同様に、加熱された毛髪Ｈの温度が目標温度に達したか否かに基づき、報知部５１への出力を制御している。
【０２２２】
したがって、本実施の形態では、乾燥開始時からの経過時間が同じ場合であっても、目標温度は、室温（使用環境温度）によって変化するようになっている。
【０２２３】
また、本実施の形態では、室温測定部（使用環境温度測定部）５６により測定された室温（使用環境温度）よりも高い温度となるように第１の温度を設定し、毛髪温度測定部５２により測定された毛髪Ｈの温度が第１の温度よりも低い場合には、報知部５１による報知を停止するようにしている（図２０参照）。
【０２２４】
第１の温度は、例えば、室温（使用環境温度）よりも３℃〜１０℃くらい高い温度に設定することができる。
【０２２５】
さらに、本実施の形態では、毛髪温度測定部５２により測定された毛髪Ｈの温度が第２の温度よりも高い場合にも、報知部５１による報知を停止するようにしている（図２１参照）。
【０２２６】
第２の温度は、毛髪Ｈを乾かす際に最も温度が高くなる温度以上に設定するのが好ましく、例えば、８５℃〜９５℃の範囲で設定することができる。
【０２２７】
以上の本実施の形態によっても、上記実施の形態１で示したヘアドライヤ１０と同様の作用、効果を奏することができる。
【０２２８】
また、本実施の形態では、ヘアドライヤ１０Ｅは、使用環境の温度を測定する使用環境温度測定部５６をさらに備えている。
【０２２９】
そして、演算部５３は、室温測定部（使用環境温度測定部）５６により測定された室温（使用環境温度）に基づいて、目標温度を調節している。
【０２３０】
こうすれば、使用するヘアドライヤ１０Ｅの周囲環境の温度（室温）に基づいて、より適切な目標温度を演算部５３によって演算することができるようになる。
【０２３１】
例えば、周囲環境の温度（室温）が著しく低い場合には、毛髪Ｈがなかなか温まらず、目標温度に達する前に毛髪Ｈが乾いてしまうことがあった。しかしながら、本実施の形態では、周囲環境の温度（室温）が低い場合には、目標温度が低くなるようにしている。
【０２３２】
そのため、目標温度に達する前に毛髪Ｈが乾いてしまうことを抑制することができ、毛髪Ｈの状態をより適切に使用者Ｕに報知することができる。その結果、整髪効果をより向上させることができるようになる。
【０２３３】
また、室温測定部（使用環境温度測定部）５６により測定された室温（使用環境温度）よりも高い温度となるように第１の温度を設定し、毛髪温度測定部５２により測定された毛髪Ｈの温度が第１の温度よりも低い場合には、報知部５１による報知を停止するようにしている。
【０２３４】
こうすれば、室温（使用環境温度）を毛髪Ｈの温度と認識してしまうことを抑制することができ、ヘアドライヤ１０Ｅの使い勝手をより向上させることができるようになる。また、毛髪Ｈが乾燥しているのに、室温（使用環境温度）を毛髪Ｈの温度と使用者Ｕが勘違いして、乾いた毛髪Ｈをさらに乾燥させてしまうことを抑制することができ、毛髪Ｈにダメージを与えてしまうのを抑制することが可能となる。また、温風を毛髪Ｈにあてていないときに、報知部５１が作動してしまうのを抑制することができ、省エネ化を図ることが可能となる。
【０２３５】
また、毛髪温度測定部５２により測定された毛髪Ｈの温度が第２の温度よりも高い場合には、報知部５１による報知を停止するようにしている。
【０２３６】
こうすれば、白熱電球等の高温物体の温度を毛髪Ｈの温度と認識してしまうことを抑制することができ、ヘアドライヤ１０Ｅの使い勝手をより向上させることができるようになる。また、毛髪Ｈが乾いていない状態のときに、白熱電球等の高温物体の温度を毛髪Ｈの温度と使用者Ｕが勘違いして、毛髪Ｈの乾燥を止めてしまうことを抑制することができる。また、温風を毛髪Ｈにあてていないときに、報知部５１が作動してしまうのを抑制することができ、省エネ化を図ることが可能となる。
【０２３７】
なお、本実施の形態では、第１の温度および第２の温度の両方を設定したものを例示したが、第１の温度および第２の温度のうちいずれか一方のみ設定するようにしてもよいし、第１の温度および第２の温度のいずれも設定しないようにしてもよい。
【０２３８】
また、上記実施の形態１〜５で示したヘアドライヤ１０，１０Ａ，１０Ｂ，１０Ｃ，１０Ｄに、第１の温度および第２の温度のうち少なくともいずれか一方の温度を設定するようにしてもよい。
【０２３９】
以上、本発明の好適な実施の形態について説明したが、本発明は上記実施の形態には限定されず、種々の変形が可能である。
【０２４０】
例えば、上記実施の形態１〜６で示した特徴を適宜組み合わせることが可能である。
【０２４１】
また、ドライヤ本体や把持部、その他細部のスペック（形状、大きさ、レイアウト等）も適宜変更することが可能である。
【産業上の利用可能性】
【０２４２】
本発明によれば、より容易に毛髪の状態を確認することのできるヘアドライヤを得ることができる。
【符号の説明】
【０２４３】
１０，１０Ａ，１０Ｂ，１０Ｃ，１０Ｄ，１０Ｅ  ヘアドライヤ
２０  ドライヤ本体
２２  送風流路
２２ａ  吸入口
２２ｂ  吐出口
２３  送風部
２４  加熱部
３０  把持部
５１  報知部
５１ａ  発光領域
５２  毛髪温度測定部
５２ａ  測定領域
５３  演算部
５４  タイマ
５６  室温測定部（使用環境温度測定部）
【図１】
2017196395.tif 000003
【図２】
2017196395.tif 000004
【図３】
2017196395.tif 000005
【図４】
2017196395.tif 000006
【図５】
2017196395.tif 000007
【図６】
2017196395.tif 000008
【図７】
2017196395.tif 000009
【図８】
2017196395.tif 000010
【図９】
2017196395.tif 000011
【図１０】
2017196395.tif 000012
【図１１】
2017196395.tif 000013
【図１２】
2017196395.tif 000014
【図１３】
2017196395.tif 000015
【図１４】
2017196395.tif 000016
【図１５】
2017196395.tif 000017
【図１６】
2017196395.tif 000018
【図１７】
2017196395.tif 000019
【図１８】
2017196395.tif 000020
【図１９】
2017196395.tif 000021
【図２０】
2017196395.tif 000022
【図２１】
2017196395.tif 000023